(57)【特許請求の範囲】
【請求項１】
画像を表示するための表示領域内に配置された複数の領域内画素と、表示領域外に配置された少なくとも１つの領域外画素とを有する表示パネルと、
上記領域内画素及び上記領域外画素に対して走査信号を供給する走査信号供給回路と、
上記領域内画素及び上記領域外画素の備える各画素電極に対して画像信号を供給する画像信号供給回路と、
上記走査信号供給回路および画像信号供給回路を制御する制御部と、を備えた液晶表示装置において、
上記領域外画素の備える画素電極の電圧と、所定の閾値電圧とを比較する比較回路と、を更に備え、
上記制御部は、上記比較回路による比較結果に応じて、画像のリフレッシュのタイミングを制御するものであり、
上記比較回路は、上記表示パネル上に形成されたものであり、
電圧入力ノードに接続されたソース、コンデンサの一端に接続されたドレイン、及び、第１の制御信号入力ノードに接続されたゲートを有する第１のトランジスタと、
上記コンデンサの他の一端に接続されたソース、中間ノードに接続されたドレイン、及び、上記第１の制御信号入力ノードに接続されたゲートを有する第２のトランジスタと、
上記中間ノードに接続されたソース、出力ノードに接続されたドレイン、及び、第２の制御信号入力ノードに接続されたゲートを有する第３のトランジスタと、
上記出力ノードに接続されたソース、接地されたドレイン、及び、上記中間ノードに接続されたゲートを有する第４のトランジスタと、
上記中間ノードに接続されたソース、接地されたドレイン、及び、第３の制御信号入力ノードに接続されたゲートを有する第５のトランジスタと、
参照電圧電源に接続されたソース、上記出力ノードに一端が接続された第１の抵抗の他の一端に接続されたドレイン、及び、上記第２の制御信号入力ノードに接続されたゲートを有する第６のトランジスタと、
上記参照電圧電源に一端が接続され、上記出力ノードに他の一端が接続された第２の抵抗と、を備え、
上記電圧入力ノードに上記領域外画素の備える画素電極の電圧が入力され、
上記出力ノードから上記比較結果を示す出力電圧が出力される、
ことを特徴とする液晶表示装置。
【請求項２】
上記制御部は、上記領域外画素の備える画素電極の電圧の絶対値が、上記閾値電圧の絶対値以下になったとき、画像のリフレッシュを行う、
ことを特徴とする請求項１に記載の液晶表示装置。
【請求項３】
上記表示パネルは、上記領域外画素を複数備え、
上記制御部は、上記各領域外画素の備える画素電極の電圧の絶対値のうち、最も低い電圧の絶対値が、上記閾値電圧の絶対値以下になったときに、画像のリフレッシュを行う、ことを特徴とする請求項１又は２に記載の液晶表示装置。
【請求項４】
上記制御部は、画像のリフレッシュを開始した時点から、各領域外画素の備える画素電極の電圧の絶対値が上記閾値電圧の絶対値以下になるまでの減衰時間を測定し、各減衰時間に基づいて上記画像のリフレッシュレートを設定する、
ことを特徴とする請求項１から３の何れか１項に記載の液晶表示装置。
【請求項５】
上記制御部は、各減衰時間に基づいて上記表示領域を複数のサブ表示領域に分割すると共に、上記サブ表示領域毎に上記リフレッシュのタイミングを制御する、
ことを特徴とする請求項４項に記載の液晶表示装置。
【請求項６】
上記複数の領域内画素及び上記少なくとも１つの領域外画素の各々は、酸化物半導体を半導体層とするＴＦＴを備えている、
ことを特徴とする請求項１から５の何れか１項に記載の液晶表示装置。
【請求項７】
画像を表示するための表示領域内に配置された複数の領域内画素と、表示領域外に配置された少なくとも１つの領域外画素とを有する表示パネルと、
上記領域内画素及び上記領域外画素に対して走査信号を供給する走査信号供給回路と、
上記領域内画素及び上記領域外画素の備える各画素電極に対して画像信号を供給する画像信号供給回路と、
上記走査信号供給回路および画像信号供給回路を制御する制御部と、を備えた液晶表示装置において、
上記領域外画素の備える画素電極の電圧と、所定の閾値電圧とを比較する比較回路と、を更に備え、
上記制御部は、上記比較回路による比較結果に応じて、画像のリフレッシュのタイミングを制御するものであり、画像のリフレッシュを開始した時点から、各領域外画素の備える画素電極の電圧の絶対値が上記閾値電圧の絶対値以下になるまでの減衰時間を測定し、各減衰時間に基づいて上記画像のリフレッシュレートを設定する、
ことを特徴とする液晶表示装置。
【請求項８】
画像を表示するための表示領域内に配置された複数の領域内画素と、表示領域外に配置された少なくとも１つの領域外画素とを有する表示パネルと、
上記領域内画素及び上記領域外画素に対して走査信号を供給する走査信号供給回路と、
上記領域内画素及び上記領域外画素の備える各画素電極に対して画像信号を供給する画像信号供給回路と、
上記走査信号供給回路および画像信号供給回路を制御する制御部と、を備えた液晶表示装置において、
上記領域外画素の備える画素電極の電圧と、所定の閾値電圧とを比較する比較回路と、を更に備え、
上記表示パネルは、上記領域外画素を複数備え、
上記制御部は、上記比較回路による比較結果に応じて、画像のリフレッシュのタイミングを制御するものであり、上記複数の各領域外画素の備える画素電極の電圧の絶対値のうち、最も低い電圧の絶対値が、上記閾値電圧の絶対値以下になったときに、画像のリフレッシュを行う、ことを特徴とする液晶表示装置。
【請求項９】
請求項１から８の何れか１項に記載の液晶表示装置を備えている、
ことを特徴とするテレビジョン受像機。
【発明の詳細な説明】
【技術分野】
【０００１】
本発明は、液晶表示装置に関する。また、液晶表示装置に備えられた電圧比較器、及び、液晶表示装置を備えたテレビジョン受像機に関する。
【背景技術】
【０００２】
近年、テレビジョン受像機（以降、テレビとも呼称する）の備える液晶パネルの大型化が進んできている。これに伴い、液晶パネルでの消費電力が増大してきており、消費電力の削減が課題となっている。
【０００３】
さらに、近年では、横４０００×縦２０００程度の高い解像度を有する液晶パネルを有するテレビ（いわゆる、４Ｋ２Ｋテレビ）の開発なども進められてきている。このような高い解像度を有するテレビの開発に伴い、放送番組及びビデオに録画されたコンテンツなどに代表される動画像ばかりでなく、静止画像及び画像変化の少ない動画像などをテレビに表示する機会も増えてきている。
【０００４】
これに対し、液晶パネルに表示している画像が動画像である場合には、所定の書き換え周期（いわゆる、リフレッシュレート）で表示画像を書き換えるが、静止画像及び画像の変化が少ない動画像である場合には、リフレッシュレートを遅くして表示画像を書き換える回数を減らすことで消費電力を抑える技術が開発されている。
【０００５】
ここで、表示パネルに画像を表示するために液晶パネルの備える各画素に印加された電圧は、各画素の備える容量（例えば、コンデンサなど）に保持される。また、容量によって保持されている電圧は、各画素の備えるスイッチング素子（例えば、ＴＦＴ（薄膜トランジスタ）など）のリーク電流によって少しずつ減少する。
【０００６】
したがって、静止画像及び画像の変化が少ない動画像である場合、リーク電流によって画素の電圧が変化することで表示されている画像が変化してしまう前に、表示画像を書き換える（リフレッシュする）必要がある。
【０００７】
特許文献１には、液晶パネルに表示される画像情報が一定時間変更されない場合には、各画素の備える情報電極に印加される情報信号の駆動電圧及び駆動周波数を低くすると共に、液晶パネルの温度に応じて情報信号の駆動電圧及び駆動周波数を制御する技術が開示されている。
【先行技術文献】
【特許文献】
【０００８】
【特許文献１】特開平９−５７１０号公報（１９９７年１月１０日公開）
【発明の概要】
【発明が解決しようとする課題】
【０００９】
しかし、各スイッチング素子におけるリーク電流は、温度変化以外にも、製造時の特性のばらつき、及び、使用年数の経過と共に特性が変化すること（経年変化）などにより異なっている。つまり、リーク電流は、液晶パネルの温度変化による各スイッチング素子の温度変化に加え、特性のばらつきなどによっても変化する。このため、特許文献１に記載の技術では、リフレッシュレートを、液晶パネルの温度変化に応じて変化させることができるものの、各スイッチング素子の特性のばらつき及び経年変化などに起因するリーク電流の変化に応じて適正に制御することができない。
【００１０】
また、特許文献１に記載の技術は、各画素の温度変化ではなく、上述したように、液晶パネルの温度変化に応じてリフレッシュレートを制御している。このため、液晶パネルの一部分の温度変化が他の部分の温度変化よりも著しい場合などに、その一部分の画素に表示された画像が変化してしまう場合がある。
【００１１】
したがって、特許文献１に記載の技術では、リフレッシュレートの制御を高精度に行うことができないという問題があった。
【００１２】
本発明は、上記の課題を解決するためになされたものであり、その主たる目的は、画像の書き換えタイミング（すなわち、リフレッシュのタイミング）の制御を、より高精度に行うことのできる液晶表示装置を提供することにある。
【課題を解決するための手段】
【００１３】
本発明に係る液晶表示装置は、上記の課題を解決するために、画像を表示するための表示領域内に配置された複数の領域内画素と、表示領域外に配置された少なくとも１つの領域外画素とを有する表示パネルと、上記領域内画素及び上記領域外画素に対して走査信号を供給する走査信号供給回路と、上記領域内画素及び上記領域外画素の備える各画素電極に対して画像信号を供給する画像信号供給回路と、上記走査信号供給回路および画像信号供給回路を制御する制御部と、を備えた液晶表示装置において、上記領域外画素の備える画素電極の電圧と、所定の閾値とを比較する比較回路を更に備え、上記制御部は、上記比較回路による比較結果に応じて、画像のリフレッシュのタイミングを制御する、ことを特徴としている。
【００１４】
上記の構成によれば、上記制御部は、上記比較結果に応じて画像のリフレッシュのタイミングを制御する。
【００１５】
ここで、上記領域外画素の備える画素電極の電圧は、上記領域外画素に備えられ、上記走査信号に応じて上記画像信号を供給するための画像信号線と上記画素電極との電気的な接続をオンオフするＴＦＴ（薄膜トランジスタ）のリーク電流によって減衰する。また、ＴＦＴのリーク電流は、上記領域外画素の駆動に起因するＴＦＴの温度変化、ＴＦＴの製造時における特性のばらつき、及び、使用し続けることによるＴＦＴの特性の劣化などにより変化してしまう。
【００１６】
したがって、上記液晶表示装置は、上記制御部において上記比較結果（すなわち、ＴＦＴのリーク電流による上記画素電極の電圧の変化）に応じて画像のリフレッシュのタイミングを制御することができる。これにより、上記液晶表示装置は、画像のリフレッシュのタイミングの制御を高精度に行うことができる。
【００１７】
なお、上記領域外画素の備える画素電極の電圧を、上記領域内画素の備える画素電極の電圧の変わりとして用い（いわゆる、サンプル）、上記比較結果に応じて画像のリフレッシュのタイミングを制御することにより、上記領域内画素の備える画素電極及びＴＦＴの特性に応じた画像のリフレッシュのタイミングを制御可能にしている。これにより、上記領域内画素の備える画素電極の電圧を上記閾値電圧と直接比較するために上記比較回路を接続することに起因して、上記領域内画素の備える画素電極の特性が変化してしまう（すなわち、表示される画像が変化してしまう）ことを防ぐことができる。
【００１８】
また、本発明に係る液晶表示装置において、上記制御部は、上記領域外画素の備える画素電極の電圧の絶対値が、上記閾値の絶対値以下になったとき、画像のリフレッシュを行う、ことが好ましい。
【００１９】
上記の構成によれば、上記制御部は、上記画素電極の電圧の絶対値が、上記閾値の絶対値よりも大きい場合には、画像のリフレッシュを開始しない。これによれば、上記例えば、表示領域に表示されている画像が常時リフレッシュが必要な画像ではない場合に（例えば、画像が静止画像である場合など）、リフレッシュの回数を減らすことができる。
【００２０】
このため、上記液晶表示装置は、画像のリフレッシュのために消費される電力を削減することができる。また、上記液晶表示装置は、リフレッシュの回数を減らすことにより、各領域内画素に走査信号の供給される回数を減らすことができるため、各領域内画素の備えるＴＦＴの特性の劣化を最小限に抑えることができる。
【００２１】
また、本発明に係る液晶表示装置において、上記表示パネルは、上記領域外画素を複数備え、上記制御部は、上記各領域外画素の備える画素電極の電圧の絶対値のうち、最も低い電圧の絶対値が、上記閾値の絶対値以下になったときに、画像のリフレッシュを行う、ことが好ましい。
【００２２】
上記の構成によれば、上記制御部は、上記各画素電極の電圧の絶対値のうち、最も低い電圧の絶対値に基づいて、画像のリフレッシュを制御する。これにより、上記液晶表示装置は、最もリーク電流の大きいＴＦＴを有する領域外画素の備える画素電極の電圧に基づいて、画像のリフレッシュを制御することができる。
【００２３】
また、上記表示パネルが大きくなるほど、製造時に当該表示パネルの何れの場所に形成されたかによって、生じる上記領域外画素の備えるＴＦＴの特性にばらつきが大きくなる。したがって、上記液晶表示装置は、各ＴＦＴの特性のばらつきが大きい場合であっても、画像のリフレッシュのタイミングの制御をより高精度に行うことができる。
【００２４】
また、本発明に係る液晶表示装置は、上記制御部は、画像のリフレッシュを開始した時点から、各領域外画素の備える画素電極の電圧の絶対値が上記閾値の絶対値以下になるまでの減衰時間を測定し、各減衰時間に基づいて上記画像のリフレッシュレートを設定する、ことが好ましい。
【００２５】
上記の構成によれば、上記液晶表示装置は、上記減衰時間を少なくとも１度測定することにより、上記画素電極の電圧の変化に応じた最適なリフレッシュレートを設定することができる。もちろん、上記減衰時間を繰り返し測定し、上記減衰時間を測定する度にリフレッシュレートを再設定することもできる。これによれば、上記液晶表示装置は、上記画素電極の電圧の変化に応じて常に最適なリフレッシュレートを設定することができる。
【００２６】
また、本発明に係る液晶表示装置において、上記制御部は、各減衰時間に基づいて上記表示領域を複数のサブ表示領域に分割すると共に、上記サブ表示領域毎に上記リフレッシュのタイミングを制御する、ことが好ましい。
【００２７】
上記の構成によれば、上記液晶表示装置は、製造時に上記表示パネルの何れの場所に形成されたかによって上記領域外画素の備えるＴＦＴの特性にばらつきが生じた場合にも、当該ばらつきに応じて上記表示領域を複数のサブ表示領域に分割し、分割したサブ表示領域毎にリフレッシュのタイミングを制御する。これによって、上記電圧の絶対値が上記閾値の絶対値以下になった上記画素電極を有する領域外画素の属する上記サブ表示領域のみの画像をリフレッシュすることができる。したがって、一部の上記領域外画素の備える画素電極の電圧の絶対値が上記閾値の絶対値以下になった場合にも、上記表示パネルの備える全ての画素に表示される画像のリフレッシュを行う必要がないため、リフレッシュにおいて消費される電力を削減することができる。
【００２８】
また、本発明に係る液晶表示装置において、上記比較回路は、上記比較回路は、上記表示パネル上に形成されたものであり、電圧入力ノードに接続されたソース、コンデンサの一端に接続されたドレイン、及び、第１の制御信号入力ノードに接続されたゲートを有する第１のトランジスタと、上記コンデンサの他の一端に接続されたソース、中間ノードに接続されたドレイン、及び、上記第１の制御信号入力ノードに接続されたゲートを有する第２のトランジスタと、上記中間ノードに接続されたソース、出力ノードに接続されたドレイン、及び、第２の制御信号入力ノードに接続されたゲートを有する第３のトランジスタと、上記出力ノードに接続されたソース、接地されたドレイン、及び、上記中間ノードに接続されたゲートを有する第４のトランジスタと、上記中間ノードに接続されたソース、接地されたドレイン、及び、第３の制御信号入力ノードに接続されたゲートを有する第５のトランジスタと、参照電圧電源に接続されたソース、上記出力ノードに一端が接続された第１の抵抗の他の一端に接続されたドレイン、及び、上記第２の制御信号入力ノードに接続されたゲートを有する第６のトランジスタと、上記参照電圧電源に一端が接続され、上記出力ノードに他の一端が接続された第２の抵抗と、を備え、上記電圧入力ノードに上記領域外画素の備える画素電極の電圧が入力され、上記出力ノードから上記比較結果を示す出力電圧が出力される、ことが好ましい。
【００２９】
上記の構成によれば、上記の各素子を備えた比較回路が上記表示パネル上に形成されているため、上記表示パネル上以外に設ける場合と比較して、上記液晶表示装置を構成する部品の数を削減することができる。
【００３０】
また、本発明に係る液晶表示装置において、上記複数の領域内画素及び上記少なくとも１つの領域外画素の各々は、酸化物半導体を半導体層とするＴＦＴを備えている、ことが好ましい。
【００３１】
上記の構成によれば、表示装置において、各領域内画素及び領域外画素に対してオン特性およびオフ特性に優れている酸化物半導体を半導体層とするＴＦＴを採用することで、リフレッシュレートを変化させることが容易になる。
【００３２】
本発明に係る比較回路は、液晶表示装置の表示パネル上に形成され、入力電圧を所定の閾値電圧と比較するための比較回路であって、電圧入力ノードに接続されたソース、コンデンサの一端に接続されたドレイン、及び、第１の制御信号入力ノードに接続されたゲートを有する第１のトランジスタと、上記コンデンサの他の一端に接続されたソース、中間ノードに接続されたドレイン、及び、上記第１の制御信号入力ノードに接続されたゲートを有する第２のトランジスタと、上記中間ノードに接続されたソース、出力ノードに接続されたドレイン、及び、第２の制御信号入力ノードに接続されたゲートを有する第３のトランジスタと、上記出力ノードに接続されたソース、接地されたドレイン、及び、上記中間ノードに接続されたゲートを有する第４のトランジスタと、上記中間ノードに接続されたソース、接地されたドレイン、及び、第３の制御信号入力ノードに接続されたゲートを有する第５のトランジスタと、参照電圧電源に接続されたソース、上記出力ノードに一端が接続された第１の抵抗の他の一端に接続されたドレイン、及び、上記第２の制御信号入力ノードに接続されたゲートを有する第６のトランジスタと、上記参照電圧電源に一端が接続され、上記出力ノードに他の一端が接続された第２の抵抗と、を備え、複数の画素を有する表示パネルにおける画像表示領域外に設けられ、電圧入力ノードに入力電圧が入力され、上記出力ノードから上記比較結果を示す出力電圧が出力される、ことを特徴としている。
【００３３】
上記の構成のように比較回路を形成することにより、比較回路を形成する各トランジスタに長時間駆動電圧が印加され続けないような回路を実現することができる。これによって、電圧比較器を、表示装置が備える表示パネルが、例えばガラス基板などにより構成されている場合であっても、表示パネル上に形成することができる。
【００３４】
なお、上記再生装置を備えるテレビジョン受像機も本発明の範疇に入る。
【発明の効果】
【００３５】
本発明に係る液晶表示装置は、以上のように、画像を表示するための表示領域内に配置された複数の領域内画素と、当該表示領域外に配置された少なくとも１つの領域外画素とを有する表示パネルと、上記領域内画素及び上記領域外画素に対して走査信号を供給する走査信号供給回路と、上記領域内画素及び上記領域外画素の備える各画素電極に対して画像信号を供給する画像信号供給回路と、上記走査信号供給回路および画像信号供給回路を制御する制御部と、上記領域外画素の備える画素電極の電圧と、所定の閾値とを比較する比較回路と、を備え、上記制御部は、上記比較回路による比較結果に応じて、画像のリフレッシュのタイミングを制御する、ことを特徴としている。
【００３６】
したがって、上記液晶表示装置は、画像のリフレッシュのタイミングの制御を高精度に行うことができる。
【図面の簡単な説明】
【００３７】
【図１】本発明の一実施形態に係るテレビの全体構成の概略を示す図である。
【図２】本発明の一実施形態に係るテレビの備える表示領域に動画像を表示する場合の、テレビの動作を示すタイミングチャートである。
【図３】本発明の一実施形態に係るテレビの備える表示領域に静止画像を表示する場合の、テレビの動作を示すタイミングチャートである。
【図４】本発明の一実施形態に係るテレビの備える表示領域に静止画像を表示する場合に、リーク時間を測定するテレビの動作を示すタイミングチャートである。
【図５】本発明の一実施形態に係るテレビの備える表示領域に静止画像を表示する場合に、リーク時間に基づいて走査信号の電圧及び供給時間を変更するテレビの動作を示すタイミングチャートである。
【図６】本発明の一実施形態に係るテレビの備える表示領域に静止画像を表示する場合に、複数フィールドにより１フレームを構成するテレビの動作を示すタイミングチャートである。
【図７】本発明の一実施形態の一実施例に係るテレビの備える表示パネルの概略を示す図である。
【図８】本発明の一実施形態の他の実施例に係るテレビの備える表示パネルの概略を示す図である。
【図９】本発明の一実施形態のさらに他の実施例に係るテレビの備える表示パネルの概略を示す図である。
【図１０】本発明の他の実施形態に係るテレビが備える比較器の構成を示す回路図である。
【図１１】本発明の他の実施形態に係るテレビが備える比較器の動作を示すタイミングチャートである。
【発明を実施するための形態】
【００３８】
＜実施形態１＞
本発明の一実施形態に係る液晶表示装置について、図１から図６を参照して説明する。但し、この実施形態に記載されている構成は、特に特定的な記載がない限り、この発明の範囲をそれのみに限定する趣旨ではなく、単なる説明例に過ぎない。なお、本実施形態に係る液晶表示装置は、テレビジョン受像機（以降、テレビとも呼称する）によって実現されているため、以下では、テレビと呼称する。
【００３９】
なお、以下では、液晶表示装置がテレビである場合を例に挙げて説明するが、本発明はこれに限定されるものではない。本発明に係る液晶表示装置は、例えば、パーソナルコンピュータ、ＰＤＡ（携帯情報端末：Personal Digital Assistants）、タブレット型ＰＣ、携帯電話、及び、スマートフォンなどであってもよい。
【００４０】
〔テレビの構成〕
本実施形態に係るテレビ１の構成について、図１を参照して説明する。図１は、本実施形態に係るテレビ１の全体構成の概略を示す図である。図１に示すように、テレビ１は、表示パネル１０、制御部１１、及び、比較器（比較回路）１５を備えている。
【００４１】
（表示パネル）
表示パネル１０は、走査線駆動回路（走査信号供給回路）１２、信号線駆動回路（画像信号供給回路）１３、及び、複数の画素を駆動することにより画像を表示する表示領域１４を備えている。なお、走査線駆動回路１２及び信号線駆動回路１３は、表示領域外の非表示領域（いわゆる、額縁領域）に備えられている。
【００４２】
表示パネル１０は、表示領域１４に、総数Ｐ行（ただし、Ｐは１以上の整数）の走査線、各走査線と交差するように配置された総数Ｑ列（ただし、Ｑは１以上の整数）の信号線、及び、各走査線と各信号線との交差部に設けられた複数の画素（領域内画素）を有している。
【００４３】
また、各画素には、画素電極１４２が設けられており、走査線に供給される走査信号によって画素電極１４２と信号線との電気的な接続をオンオフするＴＦＴ（スイッチング素子）１４１とが備えられている。ＴＦＴ１４１のゲート電極は、走査線に接続され、ソース端子は信号線に接続され、ドレイン端子は画素電極１４２に接続されている。
【００４４】
さらに、表示パネル１０は、非表示領域の信号線駆動回路１３側に、１行のモニタ用走査線ｍ、及び、モニタ用走査線ｍと総数Ｑ列の各信号線との交差部に設けられた複数のモニタ用画素（領域外画素）を備えている。
【００４５】
また、各モニタ用画素には、モニタ用画素電極１５２が設けられており、モニタ用走査線ｍに供給される走査信号によってモニタ用画素電極１５２と信号線との電気的な接続をオンオフするモニタ用ＴＦＴ（スイッチング素子）１５１とが備えられている。モニタ用ＴＦＴ１５１のゲート電極は、モニタ用走査線ｍに接続され、ソース端子は信号線に接続され、ドレイン端子はモニタ用画素電極１５２に接続されている。
【００４６】
なお、本実施形態では、モニタ用画素は画像の表示には用いられず、後述するように、テレビ１の動作時におけるＴＦＴの特性の変化をモニタするために用いられるが、本発明はこれに限定されるものではなく、もちろん、画像の表示に用いられてもよい。
【００４７】
なお、説明の便宜上、ＴＦＴ１４１及びモニタ用ＴＦＴ１５１が備えている３端子のうち、ゲート端子以外の２端子について、信号線に接続された端子をソース端子と呼び、画素電極１４２、モニタ用画素電極１５２に接続された端子をドレイン端子と呼ぶが、逆であっても良い。
【００４８】
また、ＴＦＴ１４１及びモニタ用ＴＦＴ１５１の半導体層は、例えば、ａ−Ｓｉ（amorphous Silicon：非晶質シリコン）によって形成されていることが一般的であるが、これに限定されるものではない。
【００４９】
なお、表示領域１４に表示される画像は、動画像であってもよいし、静止画像であってもよい。表示領域に静止画像が表示される場合としては、例えば、動画像を一時停止させる場合などを挙げることができる。
【００５０】
（制御部）
制御部１１は、走査線駆動回路１２、及び、信号線駆動回路１３を制御し、表示パネル１０の表示領域１４に表示される画像のリフレッシュのタイミングを制御する。具体的には、外部から送られる同期信号及びゲートクロック信号を取得し、表示領域１４に画像を表示するための制御信号を出力する。制御部１１は、走査線駆動回路１２に対し、後術する走査制御信号、ゲートクロック信号、及び、ゲートスタートパルス信号などを出力する。また、制御部１１は、信号線駆動回路１３に対し、ソースクロック信号、ソーススタートパルス信号、ラッチストローブ信号、及び、極性反転信号などを出力する。
【００５１】
また、制御部１１は、表示領域１４に表示する画像が、静止画像、又は、画像の変化が少ない動画像である場合、リフレッシュレートが低くなるよう、走査線駆動回路１２及び信号線駆動回路１３を制御する。
【００５２】
さらに、制御部１１は、後述するように、所定の閾値を示す電圧を出力し、比較器１５による比較結果を取得する。制御部１１は、比較器１５から入力される比較結果が所定の閾値を示す場合には、設定したリフレッシュレートに拘らず、画像をリフレッシュするよう、走査線駆動回路１２及び信号線駆動回路１３を制御する。制御部１１は、例えば、走査線駆動回路１２及び信号線駆動回路１３に画像をリフレッシュする旨を示すリフレッシュ信号を供給することにより、走査線駆動回路１２及び信号線駆動回路１３を制御すればよい。
【００５３】
なお、所定の閾値電圧の値を示す閾値データは、予め、テレビ１の備えるメモリ（不図示）に格納されていればよい。閾値データの設定方法については、後述する。
【００５４】
（走査線駆動回路）
走査線駆動回路１２は、画素及びモニタ用画素に対して、走査信号を供給する。具体的には、制御部１１から受け取ったゲートスタートパルス信号を合図に、走査線の走査を開始する。
【００５５】
走査線駆動回路１２は、走査信号の供給を開始すると、制御部１１から受け取ったゲートクロック信号およびゲート出力制御信号に従って、表示領域内の１行目の走査線から順次走査電圧を印加し、Ｐ行の全走査線に走査電圧を印加する。さらに、走査線駆動回路１２は、非表示領域に備えられているモニタ用走査線ｍに対しても走査電圧を印加する。これにより、走査線駆動回路１２は、各走査線に対して、走査線上の画素に備えられたＴＦＴ１４１及びモニタ用ＴＦＴ１５１をオン状態にさせるための走査電圧を有する走査信号を順次供給する。なお、各走査線に対してＴＦＴ１４１及びモニタ用ＴＦＴ１５１をオン状態にさせるために走査信号を供給すること（すなわち、走査電圧を印加すること）を、以降、走査線を走査する、とも記載する。
【００５６】
（信号線駆動回路）
信号線駆動回路１３は、画素の備える画素電極１４２及びモニタ用画素の備えるモニタ用画素電極１５２に対して、画素信号を供給する。具体的には、信号線駆動回路１３は、制御部１１から受け取ったソーススタートパルス信号を基に、入力された各画素の画像信号をソースクロック信号に従ってレジスタ（不図示）に蓄える。また、信号線駆動回路１３は、次のソースラッチストローブ信号に従って表示パネル１０の各信号線に画像データを示す画像信号を供給し、各信号線を含む画素に備えられている画素電極１４２及びモニタ用画素電極１５２を充電する。
【００５７】
信号線駆動回路１３は、入力された画像信号に基づいて、選択された走査線上の各画素に出力すべき電圧の値を算出し、その値の電圧を各信号線に出力する。その結果、選択された走査線上にある各画素及びモニタ用画素に対して画像データが供給されることとなる。
【００５８】
さらに、信号線駆動回路１３は、制御部１１から受け取った極性反転信号に従って、あるフィールドにおいて選択する画素である選択画素に印加する画像信号の極性を、行方向および列方向について、それぞれ所定の数の選択画素を単位として反転させると共に、あるフィールドにおける各選択画素に印加する画像信号の極性を、選択画素を選択したフィールドであって当該あるフィールドの直前のフィールドにおいて該選択画素に印加した画像信号の極性に対して反転する。
【００５９】
（比較器）
比較器１５は、モニタ用画素電極１５２の電圧（以降、モニタ電圧とも呼称する）と、制御部１１から供給される所定の閾値を示す電圧（以降、単に閾値電圧とも呼称する）とを比較する。具体的には、比較器１５は、モニタ用画素電極１５２に保持された電圧の絶対値が、モニタ用ＴＦＴ１５１のリーク電流によって低下することで閾値の絶対値以下となるタイミングを判定する。
【００６０】
比較器１５は、例えば、コンパレータなどによって実現することができるが、本発明では、これに限定されるものではない。
【００６１】
なお、制御部１１から比較器１５に供給される閾値電圧は、モニタ用画素電極１５２に保持されている電圧の極性が「＋」である場合には、同様に「＋」の極性であればよい。また、閾値電圧は、モニタ用画素電極１５２に保持されている電圧の極性が「−」である場合には、同様に「−」の極性であればよい。
【００６２】
比較器１５は、モニタ電圧の絶対値が閾値の絶対値以下になった場合、モニタ判定信号を出力する。
【００６３】
（閾値データの設定）
ここで、閾値データの設定方法の一例について説明する。
【００６４】
例えば、テスト用画像を表示させるテレビ１にテストモードを設け、テスト用画像が表示領域１４に表示されている状態で各画素の電圧を測定することで、各画素に表示されている画像が最も早く変化する（不良になる）画素における、画像が変化した時点での電圧を測定する。次に、制御部１１は、測定された電圧の値を示すデータを、閾値データとしてメモリに格納する。
【００６５】
このように、テストモードにおいて閾値データの設定を行うことにより、制御部１１は、比較器１５に最適な閾値電圧を供給することができる。なお、この閾値データの設定をテレビ１の出荷前に行うことにより、ユーザは、テレビ１の備える画素、ＴＦＴ１４１及び画素電極１４２などの特性に合わせた最適な閾値データが予め設定された状態でテレビ１を利用することができる。
【００６６】
また、メモリに格納されている閾値データは、書き換え（再設定）可能であってもよい。例えば、リモートコントローラを操作することで、ユーザにより設定することが可能であってもよい。
【００６７】
上述の構成によれば、閾値データを最適に設定することができ、また、再設定することができるため、比較器１５におけるモニタ電圧と閾値電圧との比較に自由度を与えることができる。
【００６８】
なお、本実施形態に係る制御部１１は、メモリに格納された閾値データを参照して閾値電圧を供給するために、Ｄ／Ａコンバータ（不図示）を備えていてもよい。
【００６９】
〔テレビの動作〕
次に、本実施形態に係るテレビ１の動作について、図２から図６を参照して説明する。なお、ここでは、静止画像及び画像の変化の少ない動画像を表示する場合のテレビ１の動作について、静止画像を表示する場合のテレビ１の動作を例に挙げて説明する。
【００７０】
（動画像の表示）
まず、表示領域１４に通常の（すなわち、画像の変化が少ない動画像ではない）動画像を表示する場合について、図２を参照して説明する。図２は、表示領域１４に動画像を表示する場合の、テレビ１の動作を示すタイミングチャートである。
【００７１】
動画像を表示する場合、図２に示すように、走査線駆動回路１２は、第１フィールドにおいて、まず、モニタ用走査線ｍに対する走査信号の供給を開始する。走査線駆動回路１２は、モニタ用走査線ｍへの走査信号の供給が終了すると、次に、表示領域１４に備えられている１行目の走査線に対する走査信号の供給を開始する。さらに、１行目の走査線への走査信号の供給が終了すると、２行目の走査線に対する走査信号の供給を開始する。このように、Ｐ行目までの各走査線に順次走査信号を供給する。
【００７２】
また、信号線駆動回路１３は、各走査線が走査されている間に、１列目からＱ列目までの各信号線に画像信号を供給する。
【００７３】
モニタ用走査線ｍ及びＰ行の走査線（以降、単にＰ＋１行の走査線とも呼称する）に対する走査信号の供給が終了すると、第１フィールドが終了する。次に、第２フィールドにおいて、走査線駆動回路１２は、再びＰ＋１行の走査線に対して走査信号を順次供給する。これにより、順次画像がリフレッシュされ、表示領域１４に動画像が表示されることになる。
【００７４】
なお、本実施形態では、通常の動画像を表示する際に、走査線駆動回路１２が、モニタ用走査線ｍに対して走査信号を供給する場合を例に挙げて説明したが、本発明はこれに限定されるものではない。例えば、通常の動画像を表示する際には、走査線駆動回路１２は、モニタ用走査線ｍに対して走査信号を供給しない構成を採用してもよい。
【００７５】
（静止画像の表示）
次に、表示領域１４に静止画像を表示する場合について、図３を参照して説明する。図３は、表示領域１４に静止画像を表示する場合の、テレビ１の動作を示すタイミングチャートである。
【００７６】
静止画像を表示する場合、図３に示すように、走査線駆動回路１２は、第１フィールドにおいて、モニタ用走査線ｍに走査信号を供給し、さらに、１行目からＰ行目までの各走査線に順次走査信号を供給する。また、信号線駆動回路１３は、各走査線が走査されている間に、１列目からＱ列目までの各信号線に画像信号を供給する。
【００７７】
走査線駆動回路１２はＰ＋１行の走査線の全てへの走査信号の供給が終了すると、走査信号の供給を停止する。また、信号線駆動回路１３はＰ行目の走査線が走査されている間における各信号線への画像信号の供給が終了すると、画像信号の供給を停止する。
【００７８】
制御部１１は、比較器１５からモニタ判定信号が入力された場合、すなわち、モニタ電圧の絶対値が閾値の絶対値以下になった場合、走査線駆動回路１２及び信号線駆動回路１３にリフレッシュ信号を通知する。なお、制御部１１にモニタ判定信号が入力された時点で第１フィールドが終了し、第２フィールドが開始される。
【００７９】
走査線駆動回路１２及び信号線駆動回路１３は、第２フィールドにおいて、リフレッシュ信号が通知されると、走査線に対する走査信号の供給、及び、信号線に対する画像信号の供給を再開し、画像がリフレッシュされる。
【００８０】
上述の構成によれば、静止画像及び画像の変化の少ない動画像を表示する場合、テレビ１は、モニタ電圧がリーク電流によって閾値以下になるまで画像をリフレッシュしないことにより、リフレッシュの回数を減らすことができる。このため、テレビ１は、リフレッシュのために消費される電力を削減することができる。また、テレビ１は、リフレッシュの回数を減らすことにより、各画素の備えるＴＦＴ１４１に走査信号の供給される回数を減らすことができ、各ＴＦＴ１４１の特性の劣化を最小限に抑えることができる。
【００８１】
したがって、テレビ１は、各画素における温度変化、各ＴＦＴのリーク電流のばらつき、及び、特性の劣化などに応じて、画像のリフレッシュのタイミングを制御することができる。
【００８２】
（静止画像の表示におけるリフレッシュレートの設定）
次に、表示領域１４に静止画像を表示する際に、ある時刻においてリフレッシュが開始された時点からモニタ電圧が閾値電圧以下となるまでモニタ電圧の減衰時間であるリーク時間を測定する場合について、図４を参照して説明する。図４は、表示領域１４に静止画像を表示する場合に、リーク時間を測定するテレビ１の動作を示すタイミングチャートである。
【００８３】
静止画像を表示する場合、図３に示すように、走査線駆動回路１２は、第１フィールドにおいて、モニタ用走査線ｍに走査信号を供給し、さらに、１行目からＰ行目までの各走査線に順次走査信号を供給する。また、信号線駆動回路１３は、各走査線が走査されている間に、１列目からＱ列目までの各信号線に画像信号を供給する。
【００８４】
走査線駆動回路１２はＰ＋１行の走査線の全てへの走査信号の供給が終了すると、走査信号の供給を停止する。また、信号線駆動回路１３はＰ行目の走査線が走査されている間における各信号線への画像信号の供給が終了すると、画像信号の供給を停止する。
【００８５】
制御部１１は、比較器１５から、モニタ判定信号が入力された場合、すなわち、モニタ電圧の絶対値が閾値の絶対値以下になった場合、走査線駆動回路１２及び信号線駆動回路１３にリフレッシュ信号を通知する。
【００８６】
走査線駆動回路１２及び信号線駆動回路１３は、リフレッシュ信号が通知されると、走査線に対する走査信号の供給、及び、信号線に対する画像信号の供給を再開し、画像がリフレッシュされる。なお、制御部１１にモニタ判定信号が入力された時点で第１フィールドが終了し、第２フィールドが開始される。
【００８７】
また、制御部１１は、モニタ用走査線ｍに対する走査信号の供給を開始した時点から、Ｐ＋１行の走査線の全てへの走査信号の供給が終了し、比較器１５からモニタ判定信号が入力されるまでにかかるリーク時間を、クロック信号を用いて測定する。制御部１１は、測定したリーク時間を、表示領域１４に静止画像を表示する場合のリフレッシュレートとして設定する。
【００８８】
つまり、制御部１１は、第２フィールド以降においては、第１フィールドにおいて測定したリーク時間に従って設定したリフレッシュレートに基づいて画像をリフレッシュするよう、走査線駆動回路１２及び信号線駆動回路１３を制御する。上述の構成によれば、テレビ１は、リーク時間を１度測定することにより、モニタ電圧の変化に応じた最適なリフレッシュレートを設定することができる。
【００８９】
また、制御部１１は、リーク時間を繰り返し測定し、リーク時間を測定する度にリフレッシュレートを再設定する構成を採用してもよい。これによれば、テレビ１は、モニタ電圧の変化に応じて常に最適なリフレッシュレートを設定することができる。
【００９０】
（静止画像の表示における走査信号の変更）
次に、表示領域１４に静止画像を表示する際にリーク時間に基づいて走査信号の走査電圧及び供給時間（すなわち、走査線の走査時間）を変更する場合について、図５を参照して説明する。図５は、表示領域１４に静止画像を表示する場合に、リーク時間に基づいて走査電圧及び供給時間を変更するテレビ１の動作を示すタイミングチャートである。
【００９１】
制御部１１は、まず、上述のようにリーク時間を測定し、測定したリーク時間を表示領域１４に静止画像を表示する場合のリフレッシュレートとして設定する。
【００９２】
次に、制御部１１は、設定したリフレッシュレートに基づき、走査電圧（振幅）及び供給時間（パルス幅）を変更する。例えば、制御部１１は、図５に示すように、走査電圧を低く設定してもよい。この場合には、各ＴＦＴ１４１及びモニタ用ＴＦＴ１５１をオン状態にするためのオン電圧を得るため、及び、信号線を介して供給される画像信号の電圧を十分に各画素電極１４２及びモニタ用画素電極１５２に充電するため、走査信号の供給時間を長く設定すればよい。なお、走査信号の供給時間の長さは、図５に示すように、１フィールド期間（リフレッシュレートの１周期）の間にＰ＋１行全ての走査線に対する走査信号の供給が終わる範囲で設定する必要がある。
【００９３】
上述の構成によれば、静止画像及び画像の変化の少ない動画像を表示する場合に、各ＴＦＴ１４１に高い電圧が印加される回数を減らすことができるため、各ＴＦＴ１４１の特性の劣化を最小限に抑えることができる。
【００９４】
また、制御部１１は、走査信号の電圧を高く設定してもよい。この場合には、オン電圧及び画像信号の電圧を十分に得ることができるため、走査信号の供給時間を長く設定することができる。
【００９５】
なお、制御部１１は、上述したように、リフレッシュレートを所定の期間毎に再設定してもよい。この場合には、制御部１１は、再設定したリフレッシュレートに合わせて、走査電圧及び供給時間を所定の期間毎に最適に設定し直すことができる。これによって、テレビ１は、静止画像及び画像の変化の少ない動画像を表示する場合に、各ＴＦＴ１４１の温度変化、及び、特性の劣化などに起因する、テレビ１の動作時における各ＴＦＴ１４１の特性のダイナミックな変化に対応するよう、リフレッシュレートが再設定される度に走査電圧及び供給時間を適切に設定し直すことができる。
【００９６】
（複数フィールドにより１フレームを構成）
次に、表示領域１４に静止画像を表示する際に複数フィールドにより１フレームを構成する場合について、図６を参照して説明する。図６は、表示領域１４に静止画像を表示する場合に、複数フィールドにより１フレームを構成するテレビ１の動作を示すタイミングチャートである。
【００９７】
なお、複数フィールドにより１フレームを構成するには、非表示領域に、１フレームを構成するフィールドの数と同数のモニタ用走査線及び各モニタ用走査線に対応するモニタ用画素を備えていることが好ましい。本実施形態では、２フィールドにより１フレームを構成する場合に、２本のモニタ用走査線ｍ１及びモニタ用走査線ｍ２を備えている場合を例に挙げて説明する。
【００９８】
静止画像を表示する場合、図６に示すように、走査線駆動回路１２は、まず、第１フィールドにおいて、モニタ用走査線ｍ１に走査信号を供給し、さらに、表示領域１４に備えられている１行目の走査線からＰ−１行目の走査線までの奇数行の各走査線に順次走査信号を供給する。また、信号線駆動回路１３は、モニタ用走査線ｍ１及び奇数行の各走査線が走査されている間、１列目からＱ列目までの各信号線に画像信号を供給する。
【００９９】
走査線駆動回路１２はモニタ用走査線ｍ１及び表示領域１４に備えられている奇数行の各走査線への走査信号の供給が終了すると、走査信号の供給を停止する。また、信号線駆動回路１３はＰ行目の走査線が走査されている間における各信号線への画像信号の供給が終了すると、各信号線に対する画像信号の供給を停止する。
【０１００】
走査線駆動回路１２は、第２フィールドにおいて、モニタ用走査線ｍ２に走査信号を供給し、さらに、表示領域１４に備えられている２行目の走査線からＰ行目の走査線までの偶数行の各走査線に順次走査信号を供給する。また、信号線駆動回路１３は、モニタ用走査線ｍ２及び偶数行の各走査線が走査されている間に、１列目からＱ列目までの各信号線に画像信号を供給する。
【０１０１】
走査線駆動回路１２はモニタ用走査線ｍ２及び表示領域１４に備えられている偶数行の各走査線への走査信号の供給が終了すると、走査信号の供給を停止する。また、信号線駆動回路１３はＰ行目の走査線が走査されている間における各信号線への画像信号の供給が終了すると、各信号線に対する画像信号の供給を停止する。これによって、１つの画像（１フレーム）が表示領域１４に表示されることになる。
【０１０２】
また、制御部１１は、第１フィールド及び第２フィールドの何れかのフィールドにおいて、比較器１５からモニタ判定信号が入力された場合、すなわち、モニタ電圧の絶対値が閾値の絶対値以下になった場合、走査線駆動回路１２及び信号線駆動回路１３にリフレッシュ信号を通知する。
【０１０３】
走査線駆動回路１２及び信号線駆動回路１３は、リフレッシュ信号が通知されると、静止画像のリフレッシュを開始する。具体的には、走査線駆動回路１２及び信号線駆動回路１３は、第１フィールドにおいてリフレッシュ信号が通知された場合、当該第１フィールドを中断し、現在のフレームにおける第２フィールドを実行することなく、次フレームにおける第１フィールドを開始する。また、走査線駆動回路１２及び信号線駆動回路１３は、第２フィールドにおいてリフレッシュ信号が通知された場合、当該第２フィールドを中断し、次フレームにおける第１フィールドを開始する。
【０１０４】
このように、複数フィールドにより１フレームを構成する場合、何れかのフィールドにおいてモニタ電圧の絶対値が閾値の絶対値以下になると、現在のフレームにおける動作を中断し、リフレッシュを開始（すなわち、次フレームにおける動作を開始）する。
【０１０５】
また、本実施形態では、各フィールドにおいて走査される走査線が、１行毎（偶数行及び奇数行）に切り替る構成を例に挙げて説明したが、本発明はこれに限定されるものではない。例えば、各フィールドにおいて走査される走査線が、ｎ（ｎは自然数）行毎に切り替る構成を採用してもよい。例えば、ｎ＝２である場合には、第１フレームにおいて１行目及び２行目の走査線が走査され、第２フレームにおいて３行目及び４行目の走査線が走査されればよい。なお、ｎ＝１の場合には、上述した構成となる。
【０１０６】
さらに、ｎの値は、何行の走査線に供給される走査信号毎に走査信号の極性が反転するかに応じて決定することが好ましい。例えば、１行毎に走査信号の極性が反転する場合には、ｎ＝１であることが好ましく、２行毎に走査信号の極性が反転する場合には、ｎ＝２であることが好ましい。
【０１０７】
なお、本実施形態では、第１フィールドにおける走査線の走査と、第２フィールドにおける走査線の走査とを、交互に実行する構成を例に挙げて説明したが、本発明はこれに限定されるものではない。例えば、第１フィールドにおける走査線の走査と、第２フィールドにおける走査線の走査とは独立しており、第１フィールドにおいて制御部１１にモニタ判定信号が入力される前（又は、リフレッシュレートが示す１フィールドの期間が経過する前）に、第２フィールドにおける走査線の走査を開始してもよい。
【０１０８】
第１フィールドにおいて制御部１１にモニタ判定信号が入力された場合（又は、リフレッシュレートが示す１フィールドの期間が経過した場合）、第２フィールドにおいて制御部１１にモニタ判定信号が入力される前（又は、リフレッシュレートが示す１フィールドの期間が経過する前）に、次フレームにおける第１フィールド（つまり、第１フィールドにおいて走査される走査線と同じ走査線が走査されるフィールド）における走査線の走査が開始されればよい。
【０１０９】
上述の構成によれば、テレビ１は、走査線に供給される走査信号が各フィールドにおいて同一の極性となるため、１フィールド中にｎ行の走査線毎に極性を反転した走査信号を供給する場合と比較し、消費電力を削減することができる。
【０１１０】
また、上述の構成によれば、静止画像及び画像の変化の少ない動画像を表示する場合、テレビ１は、１フレームを構成する各フィールドにおいて、各モニタ電圧がリーク電流によって閾値以下になるまで画像をリフレッシュしないことにより、各フィールドにおけるリフレッシュの回数を減らすことができる。このため、テレビ１は、リフレッシュのために消費される電力を削減することができ、また、各ＴＦＴ１４１に走査信号の供給される回数を減らすことができるため、各ＴＦＴ１４１の特性の劣化を最小限に抑えることができる。
【０１１１】
（エリア別駆動）
また、上記制御部１１は、上述したリーク時間の測定と同様に、複数のモニタ用ＴＦＴ１５１のリーク時間を測定してもよい。このとき、制御部１１は、各リーク時間に基づいて、表示領域１４を複数のエリア（サブ表示領域）に分割する。さらに制御部１１は、分割したエリア毎に、対応したリーク時間に従ってリフレッシュのタイミングを制御する。
【０１１２】
上述の構成によれば、テレビ１は、製造時に表示パネル１０の何れの場所に形成されたかによって生じるＴＦＴ１４１及びモニタ用ＴＦＴ１５１の特性のばらつきに応じて表示領域１４を複数のエリアに分割し、分割したエリア毎にリフレッシュのタイミングを制御する。これによって、モニタ電圧の絶対値が閾値の絶対値以下になったモニタ用画素電極を有するモニタ用画素の属するエリアのみの画像を個別にリフレッシュすることができる。したがって、一部のモニタ用画素電極の電圧の絶対値が閾値の絶対値以下になった場合にも、表示パネル１０の備える全ての画素に表示される画像のリフレッシュを行う必要がないため、リフレッシュにおいて消費される電力を削減することができる。
【０１１３】
なお、本実施形態では、比較器１５が１つ備えられている場合を例に挙げて説明したが、本発明はこれに限定されるものではなく、例えば、比較器１５が複数備えられていてもよい。比較器１５が複数備えられている場合、各比較器１５は、互いに異なるモニタ電圧の絶対値と閾値電圧の絶対値とを比較する。この場合には、制御部１１は、各比較器１５から最も早く入力されるモニタ判定信号に従って、すなわち、モニタ電圧の絶対値が最も早く閾値電圧以下となるモニタ用ＴＦＴ１５１の特性の変化に合わせて、上述した動作を制御すればよい。
【０１１４】
また、本実施形態では、モニタ用画素電極１５２の電圧を、画素電極１４２の電圧の変わりとして用い（いわゆる、サンプル）、比較結果に応じて画像のリフレッシュのタイミングを制御することにより、画素電極１４２及びＴＦＴ１４１の特性に応じた画像のリフレッシュのタイミングを制御可能にしている。これにより、画素電極１４２の電圧を閾値電圧と直接比較するために比較器１５を直接接続することに起因して、画素電極１４２及びＴＦＴ１４１の特性が変化してしまう（すなわち、表示される画像が変化してしまう）ことを防ぐことができる。
【０１１５】
上述の構成により、本実施形態に係るテレビ１は、画像のリフレッシュのタイミングの制御を高精度に行うことができる。
【０１１６】
＜変形例１＞
次に、本実施形態の一変形例について、図７を参照して説明する。本変形例に係るテレビ１ａは、図７に示すように、表示パネル１０ａの非表示領域の信号線駆動回路１３側と反対側に、１行のモニタ用走査線ｍ’、及び、モニタ用走査線ｍ’と総数Ｑ列の各信号線との交差部に設けられた複数のモニタ用画素（領域外画素）を備えていること以外は、実施形態１に係るテレビ１と同じ構成である。
【０１１７】
また、各モニタ用画素には、モニタ用画素電極１５２ａが設けられており、モニタ用走査線ｍ’に供給される走査信号によってモニタ用画素電極１５２ａと信号線との電気的な接続をオンオフするモニタ用ＴＦＴ（スイッチング素子）１５１ａとが備えられている。モニタ用ＴＦＴ１５１ａのゲート電極は、モニタ用走査線ｍ’に接続され、ソース端子は信号線に接続され、ドレイン端子はモニタ用画素電極１５２ａに接続されている。
【０１１８】
なお、説明の便宜上、モニタ用ＴＦＴ１５１ａが備えている３端子のうち、ゲート端子以外の２端子について、信号線に接続された端子をソース端子と呼び、モニタ用画素電極１５２ａに接続された端子をドレイン端子と呼ぶが、逆であっても良い。
【０１１９】
なお、本変形例における、静止画像を表示する場合のテレビ１ａの動作は、走査線駆動回路１２によって表示領域１４に備えられている走査線が走査された後にモニタ用走査線ｍ’が走査されること以外は、実施形態１におけるテレビ１の動作と同様であるため、ここでは説明を省略する。
【０１２０】
＜変形例２＞
次に、本実施形態の他の変形例について、図８を参照して説明する。本変形例に係るテレビ１ｂは、図８に示すように、モニタ用走査線ｍに変えて、表示パネル１０ｂの非表示領域の走査線駆動回路側と反対側に１列のモニタ用信号線ｌを備えており、また、モニタ用信号線ｌと総数Ｐ行の各走査線との交差部に設けられた複数のモニタ用画素（領域外画素）を備えていること以外は、実施形態１に係るテレビ１と同じ構成である。
【０１２１】
また、各モニタ用画素には、モニタ用画素電極１５２ｂが設けられており、各走査線に供給される走査信号によってモニタ用画素電極１５２ｂとモニタ用信号線ｌとの電気的な接続をオンオフするモニタ用ＴＦＴ（スイッチング素子）１５１ｂとが備えられている。モニタ用ＴＦＴ１５１ｂのゲート電極は、走査線に接続され、ソース端子はモニタ用信号線ｌに接続され、ドレイン端子はモニタ用画素電極１５２ｂに接続されている。
【０１２２】
なお、説明の便宜上、モニタ用ＴＦＴ１５１ｂが備えている３端子のうち、ゲート端子以外の２端子について、モニタ用信号線ｌに接続された端子をソース端子と呼び、モニタ用画素電極１５２ｂに接続された端子をドレイン端子と呼ぶが、逆であっても良い。
【０１２３】
〔テレビの動作〕
次に、本変形例に係るテレビ１ｂの、表示領域１４に静止画像を表示する場合の動作について説明する。
【０１２４】
（静止画像の表示）
静止画像を表示する場合、走査線駆動回路１２は、第１フィールドにおいて、１行目からＰ行目までの各走査線に順次走査信号を供給する。このとき、信号線駆動回路１３は、各走査線が走査されている間に、１列目からＱ列目までの各信号線、及び、モニタ用信号線ｌに画像信号を供給する。
【０１２５】
走査線駆動回路１２はＰ行の走査線の全てへの走査信号の供給が終了すると、走査信号の供給を停止する。また、信号線駆動回路１３はＰ行目の走査線が走査されている間におけるＱ列全ての信号線及びモニタ用信号線ｌへの画像信号の供給が終了すると、画像信号の供給を停止する。
【０１２６】
制御部１１は、比較器１５からモニタ判定信号が入力された場合、すなわち、モニタ電圧の絶対値が閾値の絶対値以下になった場合、走査線駆動回路１２及び信号線駆動回路１３にリフレッシュ信号を通知する。なお、制御部１１にモニタ判定信号が入力された時点で第１フィールドが終了し、第２フィールドが開始される。
【０１２７】
走査線駆動回路１２及び信号線駆動回路１３は、第２フィールドにおいて、リフレッシュ信号が通知されると、走査線に対する走査信号の供給、及び、信号線に対する画像信号の供給を再開し、画像がリフレッシュされる。
【０１２８】
上述の構成によれば、静止画像及び画像の変化の少ない動画像を表示する場合、テレビ１ｂは、モニタ電圧がリーク電流によって閾値以下になるまで画像をリフレッシュしないことにより、リフレッシュの回数を減らすことができる。このため、テレビ１ｂは、リフレッシュのために消費される電力を削減することができる。また、テレビ１ｂは、リフレッシュの回数を減らすことにより、各画素の備えるＴＦＴ１４１に走査信号の供給される回数を減らすことができ、各ＴＦＴ１４１の特性の劣化を最小限に抑えることができる。
【０１２９】
したがって、テレビ１ｂは、各画素における温度変化、各ＴＦＴのリーク電流のばらつき、及び、特性の劣化などに応じて、画像のリフレッシュのタイミングを制御することができる。
【０１３０】
（静止画像の表示におけるリフレッシュレートの設定）
制御部１１は、１行目の走査線に対する走査信号の供給を開始した時点から、Ｐ行すべての走査線への走査信号の供給が終了し、比較器１５からモニタ判定信号が入力されるまでにかかるリーク時間を、クロック信号を用いて測定する。制御部１１は、測定したリーク時間を、静止画像を表示する場合のリフレッシュレートとして設定する。
【０１３１】
つまり、制御部１１は、第２フィールド以降においては、第１フィールドにおいて測定したリーク時間に従って設定したリフレッシュレートに基づいて画像をリフレッシュするよう、走査線駆動回路１２及び信号線駆動回路１３を制御する。なお、制御部１１は、第２フィールド以降の全てのフィールドにおいて、第１フィールドにおいて測定したリーク時間に従って設定したリフレッシュレートに従って走査線駆動回路１２及び信号線駆動回路１３を制御する構成を採用してもよい。また、制御部１１は、所定の期間毎にリーク時間を測定することにより、所定の期間毎にリフレッシュレートを再設定する構成を採用してもよい。
【０１３２】
（静止画像の表示における走査信号の変更）
また、制御部１１は、上述のように設定したリフレッシュレートに基づき、走査電圧（振幅）及び供給時間（パルス幅）を変更する。例えば、制御部１１は、走査電圧を低く設定してもよい。この場合には、各ＴＦＴ１４１をオン状態にするためのオン電圧を得るため、及び、各信号線及びモニタ用信号線ｌを介して供給される画像信号の電圧を十分に各画素電極１４２及びモニタ用画素電極１５２ｂに充電するため、走査信号の供給時間を長く設定すればよい。なお、走査信号の供給時間の長さは、１フィールド期間内にＰ行全ての走査線に対する走査信号の供給が終わる範囲で設定する必要がある。
【０１３３】
上述の構成によれば、静止画像及び画像の変化の少ない動画像を表示する場合に、各ＴＦＴ１４１に高い電圧が印加される回数を減らすことができるため、各ＴＦＴ１４１の特性の劣化を最小限に抑えることができる。
【０１３４】
また、制御部１１は、走査信号の電圧を高く設定してもよい。この場合には、オン電圧及び画像信号の電圧を十分に得ることができるため、走査信号の供給時間を長く設定することができる。
【０１３５】
なお、制御部１１は、上述したように、リフレッシュレートを所定の期間毎に再設定してもよい。この場合には、制御部１１は、再設定したリフレッシュレートに合わせて、走査電圧及び供給時間を所定の期間毎に最適に設定し直すことができる。これによって、テレビ１ｂは、静止画像及び画像の変化の少ない動画像を表示する場合に、各ＴＦＴ１４１の温度変化、及び、特性の劣化などに起因する、テレビ１ｂの動作時における各ＴＦＴ１４１の特性のダイナミックな変化に対応するよう、リフレッシュレートが再設定される度に走査電圧及び供給時間を適切に設定し直すことができる。
【０１３６】
（複数フィールドにより１フレームを構成）
また、表示領域１４に静止画像を表示する際に、複数フィールドにより１フレームを構成する場合について説明する。なお、複数フィールドにより１フレームを構成する場合、少なくとも、１フレームを構成するフィールドの数と同数の比較器１５が、各フィールドにおいて走査される走査線に対応するモニタ用画素電極１５２ｂに１つずつ接続されていることが好ましい。
【０１３７】
静止画像を表示する場合、走査線駆動回路１２は、まず、第１フィールドにおいて、１行目の走査線からＰ−１行目の走査線までの奇数行の各走査線に順次走査信号を供給する。また、信号線駆動回路１３は、奇数行の各走査線が走査されている間、モニタ用信号線ｌ及び表示領域１４に備えられている１列目からＱ列目までの各信号線に画像信号を供給する。
【０１３８】
走査線駆動回路１２は表示領域１４に備えられている奇数行の各走査線への走査信号の供給が終了すると、走査信号の供給を停止する。また、信号線駆動回路１３はＰ行目の走査線が走査されている間における各信号線への画像信号の供給が終了すると、各信号線に対する画像信号の供給を停止する。
【０１３９】
また、走査線駆動回路１２及び信号線駆動回路１３は、第２フィールドにおいて、走査線駆動回路１２によって偶数行の各走査線を順次走査すること以外は、第１フィールドと同様に動作する。これによって、１つの画像（１フレーム）が表示領域１４に表示されることになる。
【０１４０】
また、制御部１１は、第１フィールド及び第２フィールドの何れかのフィールドにおいて、比較器１５からモニタ判定信号が入力された場合、すなわち、モニタ電圧の絶対値が閾値の絶対値以下になった場合、走査線駆動回路１２及び信号線駆動回路１３にリフレッシュ信号を通知する。
【０１４１】
複数フィールドにより１フレームを構成する場合、リフレッシュ信号が通知される（すなわち、何れかのフィールドにおいてモニタ電圧の絶対値が閾値の絶対値以下になる）と、現在のフレームにおける動作が中断され、次フレームにおける動作が開始される。なお、リフレッシュ信号が通知が通知されたテレビ１ｂの動作は、実施形態１に係るテレビ１の動作と同様であるため、ここでは説明を省略する。
【０１４２】
上述の構成によれば、静止画像及び画像の変化の少ない動画像を表示する場合、テレビ１は、１フレームを構成する各フィールドにおいて、各モニタ電圧がリーク電流によって閾値以下になるまで画像をリフレッシュしないことにより、各フィールドにおけるリフレッシュの回数を減らすことができる。このため、テレビ１は、リフレッシュのために消費される電力を削減することができ、また、各ＴＦＴ１４１に走査信号の供給される回数を減らすことができるため、各ＴＦＴ１４１の特性の劣化を最小限に抑えることができる。
【０１４３】
＜変形例３＞
次に、本実施形態のさらに他の変形例について、図９を参照して説明する。本変形例に係るテレビ１ｃは、図９に示すように、モニタ用走査線ｍに変えて、表示パネル１０ｃの非表示領域の走査線駆動回路側に１列のモニタ用信号線ｌ’を備えており、また、モニタ用信号線ｌ’と総数Ｐ行の各走査線との交差部に設けられた複数のモニタ用画素（領域外画素）を備えていること以外は、実施形態１に係るテレビ１と同じ構成である。
【０１４４】
また、各モニタ用画素には、モニタ用画素電極１５２ｃが設けられており、各走査線に供給される走査信号によってモニタ用画素電極１５２ｃとモニタ用信号線ｌ’との電気的な接続をオンオフするモニタ用ＴＦＴ（スイッチング素子）１５１ｃとが備えられている。モニタ用ＴＦＴ１５１ｃのゲート電極は、走査線に接続され、ソース端子はモニタ用信号線ｌに接続され、ドレイン端子はモニタ用画素電極１５２ｃに接続されている。
【０１４５】
なお、説明の便宜上、モニタ用ＴＦＴ１５１ｃが備えている３端子のうち、ゲート端子以外の２端子について、モニタ用信号線ｌ’に接続された端子をソース端子と呼び、モニタ用画素電極１５２ｃに接続された端子をドレイン端子と呼ぶが、逆であっても良い。
【０１４６】
なお、本変形例における、静止画像を表示する場合のテレビ１ｃの動作は、実施例２におけるテレビ１ｂの動作と同様であるため、ここでは説明を省略する。
【０１４７】
＜実施形態２＞
本発明の他の実施形態について説明すれば、以下の通りである。なお、本実施形態に係るテレビ２は、表示パネル１０の外部に設けられた比較器１５に変えて、表示パネル１０上に形成された比較器を備えていること以外は、実施形態１に記載のテレビ１と同じ構成である。
【０１４８】
（比較器の回路構成）
ここで、本実施形態に係る比較器について、図１０を参照して説明する。図１０は、本実施形態に係るテレビ２が備える比較器２５の構成を示す回路図である。
【０１４９】
図１０に示すように、比較器（比較回路）２５は、電源Ｖ１（参照電圧電源）、Ｖ２（接地）、制御信号入力端子Ｓ１〜Ｓ３（第１の制御信号入力ノード〜第３の制御信号入力ノード）、モニタ電圧入力端子（電圧入力ノード）Ｉ、出力端子（出力ノード）Ｏ、トランジスタＴ１〜Ｔ６（第１のトランジスタ〜第６のトランジスタ）、抵抗Ｒ１（第１の抵抗）、Ｒ２（第２の抵抗）、及び、コンデンサＣを備えている。なお、本実施形態において、電源Ｖ２は、例えば、ＧＮＤ（接地）端子であればよい。
【０１５０】
モニタ電圧入力端子ＩはトランジスタＴ１のソース端子に接続されている。トランジスタＴ１のゲート端子は制御信号入力端子Ｓ１に接続され、ドレイン端子はコンデンサＣの一端Ｎｅｔ１に接続されている。また、コンデンサＣの他の一端Ｎｅｔ２はトランジスタＴ２のソース端子に接続されており、トランジスタＴ２のソース端子ゲート端子は制御信号入力端子Ｓ１に接続され、ドレイン端子は端子Ｎｅｔ３（中間ノード）に接続されている。
【０１５１】
また、トランジスタＴ３のゲート端子は制御信号入力端子Ｓ２に接続され、ソース端子は端子Ｎｅｔ３に接続され、ドレイン端子は出力端子Ｏに接続されている。トランジスタＴ５のゲート端子は制御信号入力端子Ｓ３に接続され、ソース端子は端子Ｎｅｔ３に接続され、ドレイン端子は電源Ｖ２に接続されている。
【０１５２】
トランジスタＴ６のゲート端子は制御信号入力端子Ｓ２に接続され、ソース端子は電源Ｖ１に接続されドレイン端子は抵抗Ｒ１の一端に接続されている。また、抵抗Ｒ１の他の一端は出力端子Ｏに接続されている。
【０１５３】
抵抗Ｒ２の一端は電源Ｖ１に接続され、他の一端は出力端子Ｏに接続されている。また、トランジスタＴ４のゲート端子は端子Ｎｅｔ３に接続され、ソース端子は出力端子Ｏに接続され、ドレイン端子は電源Ｖ２に接続されている。
【０１５４】
なお、トランジスタＴ４、Ｔ６、抵抗Ｒ１及びＲ２は、インバータ回路を構成しており、端子Ｎｅｔ３はインバータ回路の入力端子とみなすことができる。
【０１５５】
また、本実施形態では、トランジスタＴ１〜Ｔ６が、全てＮｃｈのＴＦＴ（薄膜トランジスタ）である場合を例に挙げて説明するが、本発明は、これに限定されるものではない。
【０１５６】
また、本実施形態では、制御信号入力端子Ｓ１〜Ｓ３、及び、出力端子Ｏは制御部１１に接続されており、電源Ｖ１及びＶ２はテレビ１の備える電源回路（不図示）に接続されており、モニタ電圧入力端子Ｉはモニタ用画素電極１５２に接続されていればよい。
【０１５７】
なお、実施形態１、２では、ＴＦＴ１４１、モニタ用ＴＦＴ１５１及びトランジスタＴ１〜Ｔ６として、いわゆる酸化物半導体を用いたＴＦＴを採用することができる。
【０１５８】
（酸化物半導体を用いたＴＦＴの特性）
酸化物半導体を用いたＴＦＴは、ａ−Ｓｉを用いたＴＦＴよりも、オン状態の時の電子移動度が２０〜５０倍程度高く、オン特性が非常に優れていることから、フレーム周期を１６．７ｍｓ以下、すなわち、リフレッシュレートを６０Ｈｚ以上とすることも容易である。
【０１５９】
実施形態１、２に係る表示パネル１０は、このようなオン特性が優れている酸化物半導体を用いたＴＦＴを各画素に採用することにより、より小型のＴＦＴで画素を駆動することができる。これによって、表示パネル１０は、各画素において、ＴＦＴが占める面積の割合を小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【０１６０】
また、ＴＦＴのオン特性が優れているために、各画素に対するソース信号の書き込み時間をより短時間化することもできるので、表示パネル１０のフレーム周期を容易に短く（すなわち、リフレッシュレートを容易に高く）することができる。
【０１６１】
また、酸化物半導体を用いたＴＦＴは、オフ状態のときのリーク電流が、ａ−Ｓｉを用いたＴＦＴの１００分の１程度であり、リーク電流が殆ど生じない、オフ特性が非常に優れたものである。このように、オフ特性が非常に優れていることから、フレーム周期を３３ｍｓ以上、すなわち、リフレッシュレートを３０Ｈｚ以下とすることも容易である。
【０１６２】
実施形態１〜５に係る表示パネル１０は、このようなオフ特性が優れている酸化物半導体を用いたＴＦＴを各画素に採用することにより、表示パネル１０が備える複数の画素の各々のソース信号が書き込まれている状態を長期間維持することができるので、表示パネル１０のフレーム周期を容易に長く（すなわち、リフレッシュレートを容易に低く）することができる。
【０１６３】
なお、このような酸化物半導体を用いたＴＦＴであっても、リーク電流が少なからず生じるため、本実施形態に係る回路を備える比較器２５を用いることで、さらにＴＦＴの劣化を最小限に抑えることができる。
【０１６４】
（比較器の動作）
次に、比較器２５の動作について、図１１を参照して説明する。図１１は、本実施形態に係るテレビ２が備える比較器２５の動作を示すタイミングチャートである。
【０１６５】
時刻ｔ１より前の時刻における出力端子Ｏの電圧は、図１１に示すように、Ｈレベルの電圧であり、具体的には、電源Ｖ１に印加される電圧から抵抗Ｒ２にかかる電圧分だけ降下した電圧である。
【０１６６】
時刻ｔ１において、図１１に示すように、モニタ用走査線ｍの走査が開始される（走査電圧がＨｉｇｈレベル（Ｈレベル）に遷移する）と同時に、制御信号入力端子Ｓ１及びＳ２に入力される制御信号が共にＨレベルに遷移する。制御信号入力端子Ｓ１にＨレベルの制御信号が入力されることにより、トランジスタＴ１及びＴ２がオン状態になる。また、制御信号入力端子Ｓ２にＨレベルの制御信号が入力されることにより、トランジスタＴ３及びＴ６がオン状態になる。
【０１６７】
トランジスタＴ３がオン状態に遷移すると、トランジスタＴ４、Ｔ５、抵抗Ｒ１及びＲ２からなるインバータ回路の入力端子（すなわち、端子Ｎｅｔ３）と出力端子Ｏとが短絡状態となる。このため、図１１に示すように、インバータ回路の入力電圧（すなわち、端子Ｎｅｔ３の電圧）と出力電圧（すなわち、出力端子Ｏの電圧）とが、等しくインバータ回路の閾値電圧Ａになる。なお、トランジスタＴ６がオン状態であるため、閾値電圧Ａは、（１）トランジスタＴ６のオン抵抗、及び、トランジスタＴ６に直列接続された抵抗Ｒ１、並びに、トランジスタＴ６及び抵抗Ｒ１と並列接続された抵抗Ｒ２の合成抵抗値と、（２）トランジスタＴ４のオン抵抗の抵抗値との比によって決定される。
【０１６８】
また、本実施形態では、図１１に示すように、時刻ｔ４以降において、モニタ電圧の絶対値が所定の閾値の絶対値以下であるかを判定する際の閾値として、閾値電圧Ｂが用いられる。具体的には、Ｎｅｔ３の電圧が閾値電圧Ｂよりも大きい場合には、出力端子ＯからＬレベルの電圧を有する出力信号が出力され、Ｎｅｔ３の電圧が閾値電圧Ｂ以下である場合には、出力端子ＯからＨレベルの電圧を有する出力信号が出力される。
【０１６９】
なお、時刻ｔ４移行において、モニタ電圧入力端子Ｉに入力された電圧と閾値電圧とを比較する時点では、制御信号入力端子Ｓ２がＬレベルであり、トランジスタＴ６がオフ状態である。このため、閾値電圧Ｂは、トランジスタＴ４のオン抵抗と抵抗Ｒ２との抵抗値の比によって決定される。したがって、閾値電圧Ａと閾値電圧Ｂとの差が、画素電極に充電された電位の変化量を判定する値となる。
【０１７０】
また、トランジスタＴ１及びＴ２がオン状態であるため、コンデンサＣの一端Ｎｅｔ１にはモニタ電圧入力端子Ｉから入力されるモニタ電圧が印加され、他の一端Ｎｅｔ２には端子Ｎｅｔ３の閾値電圧Ａが印加される。これにより、コンデンサＣには、モニタ電圧と閾値電圧Ａとの差分電圧が印加されることになる。
【０１７１】
時刻ｔ２において、走査電圧がＬｏｗレベル（Ｌレベル）に遷移すると同時に、制御信号入力端子Ｓ１及びＳ２に入力される制御信号が共にＬレベルに遷移する。制御信号入力端子Ｓ１及びＳ２にＬレベルの制御信号が入力されると、トランジスタＴ１及びＴ２はオフ状態になる。トランジスタＴ１及びＴ２がオフ状態となることにより、コンデンサＣには、モニタ電圧と閾値電圧Ａとの差分電圧が保持される。
【０１７２】
時刻ｔ３において、制御信号入力端子Ｓ３に入力される制御信号がＨレベルに遷移し、トランジスタＴ５がオン状態になる。トランジスタＴ５がオン状態になると、端子Ｎｅｔ３と電源Ｖ２とが短絡状態となり、端子Ｎｅｔ３の電圧が電源Ｖ２と同じＬレベル（接地電位）となる。トランジスタＴ４のゲート端子に印加される端子Ｎｅｔ３の電圧がＬレベルになることで、トランジスタＴ４にＨレベルの電圧が印加され続けてことに起因する特性の劣化を最小限に抑えることができる。
【０１７３】
また、トランジスタＴ４のゲート端子に印加される端子Ｎｅｔ３の電圧がＬレベルになることで、トランジスタＴ４がオフ状態になり、出力端子Ｏの電圧は、時刻ｔ１より前の時刻における初期の電圧に戻る。以降では、制御信号入力端子Ｓ３にＨレベルの制御信号が入力されることによって出力端子Ｏの電圧が初期の電圧に戻る動作を、出力端子Ｏの電圧をリセットするとも記載する。
【０１７４】
なお、図１１に示すように、モニタ電圧入力端子Ｉに入力されるモニタ電圧は、時刻ｔ２からｔ４までの期間に、リーク電流によって減衰する。
【０１７５】
時刻ｔ４において、制御信号入力端子Ｓ１に入力される制御信号がＨレベルに遷移し、トランジスタＴ１及びＴ２がオン状態となる。トランジスタＴ１及びＴ２がオン状態になると、コンデンサＣの一端Ｎｅｔ１及び他の一端Ｎｅｔ２における電圧が、時刻ｔ２からｔ４までの期間に減衰したモニタ電圧と同じ値だけ低下する。これにより、端子Ｎｅｔ３の電圧は、モニタ電圧が減衰した値と同じ値だけ低下する。
【０１７６】
時刻ｔ５において、制御信号入力端子Ｓ１に入力される制御信号が共にＬレベルに遷移し、トランジスタＴ１及びＴ２がオフ状態になる。トランジスタＴ１及びＴ２がオフ状態となることにより、コンデンサＣには、時刻ｔ２において保持された電圧から、時刻ｔ２からｔ４までの期間に減衰したモニタ電圧と同じ値だけ低下した電圧が保持されることになる。
【０１７７】
なお、図１１に示すように、時刻ｔ４からｔ６までの期間において、端子Ｎｅｔ３の電圧が閾値電圧Ｂよりも大きいため、出力端子Ｏは、比較器２５の出力として、Ｌレベルの電圧を有する出力信号を出力する。
【０１７８】
時刻ｔ６において、制御信号入力端子Ｓ３に入力される制御信号がＨレベルに遷移し、トランジスタＴ５がオン状態になる。トランジスタＴ５がオン状態になると、端子Ｎｅｔ３と電源Ｖ２とが短絡状態となり、端子Ｎｅｔ３の電圧が電源Ｖ２と同じＬレベルとなる。
【０１７９】
また、トランジスタＴ４のゲート端子に印加される端子Ｎｅｔ３の電圧がＬレベルになることで、トランジスタＴ４がオフ状態になり、出力端子Ｏの電圧がリセットされる。
【０１８０】
なお、図１１に示すように、モニタ電圧入力端子Ｉに入力されるモニタ電圧は、時刻ｔ５からｔ７までの期間に、リーク電流によって減衰する。
【０１８１】
時刻ｔ７において、制御信号入力端子Ｓ１に入力される制御信号がＨレベルに遷移し、トランジスタＴ１及びＴ２がオン状態となる。トランジスタＴ１及びＴ２がオン状態になると、コンデンサＣの一端Ｎｅｔ１及び他の一端Ｎｅｔ２における電圧が、時刻ｔ５からｔ７までの期間に減衰したモニタ電圧と同じ値だけ低下すると共に、端子Ｎｅｔ３の電圧も同じ値だけ低下する。
【０１８２】
時刻ｔ８において、制御信号入力端子Ｓ１に入力される制御信号が共にＬレベルに遷移し、トランジスタＴ１及びＴ２がオフ状態になる。トランジスタＴ１及びＴ２がオフ状態となることにより、コンデンサＣには、時刻ｔ５において保持された電圧から、時刻ｔ４からｔ６までの期間に減衰したモニタ電圧と同じ値だけ低下した電圧が保持されることになる。
【０１８３】
なお、図１１に示すように、時刻ｔ７からｔ９までの期間において、端子Ｎｅｔ３の電圧が閾値電圧Ｂよりも小さいため、出力端子Ｏは、比較器２５の出力として、Ｈレベルの電圧を有する出力信号を出力する。
【０１８４】
時刻ｔ９において、制御信号入力端子Ｓ３に入力される制御信号がＨレベルに遷移し、トランジスタＴ５がオン状態になる。トランジスタＴ５がオン状態になると、端子Ｎｅｔ３と電源Ｖ２とが短絡状態となり、端子Ｎｅｔ３の電圧が電源Ｖ２と同じＬレベルとなる。
【０１８５】
また、トランジスタＴ４のゲート端子に印加される端子Ｎｅｔ３の電圧がＬレベルになることで、トランジスタＴ４がオフ状態になり、出力端子Ｏの電圧がリセットされる。
【０１８６】
なお、本実施形態に係る制御部１１は、比較器２５からＨレベルの電圧を有する出力信号（すなわち、モニタ判定信号）が入力された場合には、表示されている画像をリフレッシュするよう、走査線駆動回路１２及び信号線駆動回路１３を制御すればよい。
【０１８７】
なお、本実施形態に係るテレビ２の動作については、実施形態１に係るテレビ１の動作と同様であるため、ここでは説明を省略する。
【０１８８】
また、上記のように比較器２５を構成することにより、比較器２５に含まれる各トランジスタＴ１〜Ｔ６に長時間駆動電圧が印加され続けないような回路を実現することができる。これによって、比較器２５を、例えばガラス基板などで実現される表示パネル１０上に形成することができる。
【０１８９】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１９０】
本発明に係る表示装置は、テレビジョン受像機、パーソナルコンピュータ、カーナビゲーションシステム、携帯電話、ＰＤＡ、スマートフォン、タブレット型ＰＣ、デジタルカメラ、及び、デジタルビデオカメラなどに好適に適用することができる。
【符号の説明】
【０１９１】
１、１ａ、１ｂ、１ｃ、２      テレビ（液晶表示装置）
１０、１０ａ、１０ｂ、１０ｃ  表示パネル
１１                          制御部
１２                          走査線駆動回路（走査信号供給回路）
１３                          信号線駆動回路（画像信号供給回路）
１４                          表示領域
１５、２５                    比較器（比較回路）
１４１                        ＴＦＴ
１４２                        画素電極
１５１、１５１ａ、１５１ｂ、１５１ｃ  モニタ用ＴＦＴ
１５２、１５２ａ、１５２ｂ、１５２ｃ  モニタ用画素電極
【要約】
【課題】画像のリフレッシュのタイミングの制御を、より高精度に行うことのできる液晶表示装置を提供する。
【解決手段】本発明に係る液晶表示装置は、走査線駆動回路１２および信号線駆動回路１３を制御する制御部１１と、モニタ用画素電極１５２の電圧と、所定の閾値とを比較する比較器１５と、を備え、制御部１１は、比較器１５による比較結果に応じて、画像のリフレッシュのタイミングを制御する。
【選択図】図１【図１】
0005181057.tif 000002
【図２】
0005181057.tif 000003
【図３】
0005181057.tif 000004
【図４】
0005181057.tif 000005
【図５】
0005181057.tif 000006
【図６】
0005181057.tif 000007
【図７】
0005181057.tif 000008
【図８】
0005181057.tif 000009
【図９】
0005181057.tif 000010
【図１０】
0005181057.tif 000011
【図１１】
0005181057.tif 000012